(57)【要約】【課題】冷却能力を低下させることなく、簡素な構成によって白煙が発生することを抑制可能な冷却塔を提供すること。【解決手段】本発明の一実施形態である冷却塔１では、冷却ファン２が回転駆動されるのに伴い、充填材３によって飛散された温水に冷却ファン２によって吸引された空気Ａが接触し、温水は空気Ａによって冷却される。そして、生成された冷却水Ｗは水槽４内に貯留される。一方、温水と接触した空気Ａは、冷却ファン２の吸引力によってエリミネータ５を通過する。この時、空気Ａと共に持ち出される飛散水は１次エリミネータ５ａで回収され、空気Ａに含まれる水蒸気は除湿部材５ｃによって回収される。また、２次エリミネータ５ｂは、除湿部材５ｃにおいて飛散した水を回収する。【選択図】図１
2016223723.tif 000002
【特許請求の範囲】
【請求項１】
充填材を流下する水に送風機によって吸引された空気を接触させることにより水を冷却し、水に接触させた空気を外部に排出する開放式の冷却塔であって、
前記充填材と前記送風機との間に設けられ、前記充填材を流下してきた水が前記空気と共に前記送風機から外部に飛散することを抑制するエリミネータを備え、
前記エリミネータは、前記充填材側に位置する１次エリミネータと、前記送風機側に位置する２次エリミネータと、前記１次エリミネータと前記２次エリミネータとの間に設けられた除湿部材と、を有する二重構造になっていること
を特徴とする冷却塔。
【請求項２】
前記除湿部材は湿式の除湿部材であることを特徴とする請求項１に記載の冷却塔。
【請求項３】
前記充填材を流下してきた水を貯留する水槽と、
前記水槽内に貯留されている水を前記除湿部材に通水する通水手段と、
前記除湿部材によって回収された水分を前記水槽内に流入させる回収手段と、
を備えることを特徴とする請求項２に記載の冷却塔。
【発明の詳細な説明】
【技術分野】
【０００１】
本発明は、充填材を流下する水に送風機によって吸引された空気を接触させることにより水を冷却し、水に接触させた空気を外部に排出する開放式の冷却塔に関する。
【背景技術】
【０００２】
従来より、充填材を流下する水に送風機によって吸引された空気を接触させることにより水を冷却し、水に接触させた空気を外部に排出する開放式の冷却塔が知られている。このような冷却塔では、充填材を通過して水蒸気を多量に含んだ空気が白煙として外部に排出されるために、冷却水の量が時間経過と共に減少してしまう。このような背景から、白煙の発生を抑制する技術として、充填材として乾湿混合型の充填材を用いる方法（特許文献１参照）や散水部と排気口との間にダクトを設置して外部に排出される空気を除湿する方法（特許文献２参照）が提案されている。
【先行技術文献】
【特許文献】
【０００３】
【特許文献１】特開平７−１６７５８７号公報
【特許文献２】特開２０００−８８４７５号公報
【発明の概要】
【発明が解決しようとする課題】
【０００４】
しかしながら、乾湿混合型の充填材を用いる方法では、乾式型の充填材が水の冷却能力に寄与しないために、充填材全体に占める乾式型の充填材の割合によっては冷却塔の冷却能力が低下することがある。また、ダクトを設置して外部に排出される空気を除湿する方法では、装置構成が大型化及び複雑化すると共に、空気を除湿するために余計なコストが必要になる。
【０００５】
本発明は、上記に鑑みてなされたものであって、冷却能力を低下させることなく、簡素な構成によって白煙が発生することを抑制可能な冷却塔を提供することにある。
【課題を解決するための手段】
【０００６】
本発明に係る冷却塔は、充填材を流下する水に送風機によって吸引された空気を接触させることにより水を冷却し、水に接触させた空気を外部に排出する開放式の冷却塔であって、前記充填材と前記送風機との間に設けられ、前記充填材を流下してきた水が前記空気と共に前記送風機から外部に飛散することを抑制するエリミネータを備え、前記エリミネータは、前記充填材側に位置する１次エリミネータと、前記送風機側に位置する２次エリミネータと、前記１次エリミネータと前記２次エリミネータとの間に設けられた除湿部材と、を有する二重構造になっていることを特徴とする。
【０００７】
本発明に係る冷却塔は、上記発明において、前記除湿部材は湿式の除湿部材であることを特徴とする。
【０００８】
本発明に係る冷却塔は、上記発明において、前記充填材を流下してきた水を貯留する水槽と、前記水槽内に貯留されている水を前記除湿部材に通水する通水手段と、前記除湿部材によって回収された水分を前記水槽内に流入させる回収手段と、を備えることを特徴とする。
【発明の効果】
【０００９】
本発明に係る冷却塔によれば、冷却能力を低下させることなく、簡素な構成によって白煙が発生することを抑制できる。
【図面の簡単な説明】
【００１０】
【図１】図１は、本発明の一実施形態である冷却塔の構成を示す側方断面図である。
【図２】図２は、本発明の一実施形態である冷却塔の構成を示す平面図である。
【発明を実施するための形態】
【００１１】
以下、図１，図２を参照して、本発明の一実施形態である冷却塔の構成について説明する。図１は、本発明の一実施形態である冷却塔の構成を示す側方断面図である。図２は、本発明の一実施形態である冷却塔の構成を示す平面図である。
【００１２】
図１及び図２に示すように、本発明の一実施形態である冷却塔１は、冷却ファン２、充填材３、水槽４、及びエリミネータ５を主な構成要素として備えている。
【００１３】
冷却ファン２は、塔頂部に設けられた送風機によって構成されている。冷却ファン２は、回転駆動されることによって、充填材３、エリミネータ４、及び塔内部空間Ｓを介して空気Ａを吸引し、吸引した空気Ａを塔頂部から外部へ排出する。
【００１４】
充填材３は、外形が直方体状のフィルムフロー式やスプラッシュ式の充填材を多段配置することによって構成され、冷却塔１の側方に一対配置されている。ここで、フィルムフロー式の充填材とは、波板状に形成された複数枚のポリ塩化ビニルを順次接着して１ｍ３程度の大きさの充填材ユニットとし、この充填材ユニットを積み重ねたものである。また、スプラッシュ式の充填材は、網目状の部材が流下される水の流れ方向に対して所定の間隔を置いて吊り下げられたものである。
【００１５】
充填材３の上部には、充填材３に温水（循環水）を散水する温水配管３ａが配設されている。温水は、揚水ポンプによって工場から循環された工業用水である。充填材３に散水された温水は、充填材３によって飛散されながら、鉛直下方方向に向かって充填材３を流下する。塔外側の充填材３の側方には、充填材３の内部に空気を導入するためのルーバー３ｂが鉛直方向に多層配置されている。
【００１６】
水槽４は、充填材３内を流下してきた水を冷却水Ｗとして貯留する貯水槽によって構成され、塔下部に設けられている。水槽４には、冷却水パイプライン１１を介して水槽４内の冷却水Ｗを工場に供給する送水ポンプ１２が設けられている。
【００１７】
エリミネータ５は、充填材３を流下してきた水が冷却ファン２によって吸引された空気Ａと共に塔外に飛散しないように設置されたフィルタである。詳しくは、エリミネータ５は、ラビリンス構造になっており、空気Ａは通過させるが、空気Ａに同伴した水は捕捉して通過させないようになっている。なお、エリミネータ５は、空気Ａを冷却塔１内に均一に流すための整流板としても機能する。
【００１８】
本実施形態では、エリミネータ５は、充填材３側に位置する１次エリミネータ５ａ、冷却ファン２側に位置する２次エリミネータ５ｂ、及び１次エリミネータ５ａと２次エリミネータ５ｂとの間に設けられた除湿部材５ｃを備える二重構造になっている。
【００１９】
１次エリミネータ５ａは、充填材３によって飛散された水が空気Ａと共に塔内部空間を経由して塔外に飛散することを抑制する網目状の部材によって構成されている。
【００２０】
２次エリミネータ５ｂは、空気Ａが除湿部材５ｃを通過する際に飛散された水が空気Ａと共に塔内部空間を経由して塔外に飛散することを抑制する網目状の部材によって構成されている。
【００２１】
除湿部材５ｃは、湿式の除湿部材によって構成され、冷却水パイプライン１１内を流通する冷却水Ｗが供給されることによって湿潤状態が維持されている。除湿部材５ｃは、１次エリミネータ５ａを通過してきた空気Ａに含まれる水蒸気を除去（除湿）した後、除湿された空気Ａを２次エリミネータ５ｂ側に排出する。よって、２次エリミネータ５ｂを通過した空気Ａに含まれる水蒸気量は、１次エリミネータ５ａを通過した空気Ａに含まれる水蒸気量と比較して少なくなる。除湿部材５ｃの端部は、水槽４内に露出しており、除湿部材５ｃによって回収された水蒸気は液化して水槽４内に送られる。これにより、冷却水Ｗの水量が低下することを抑制できる。回収水量の目安は、処理水量の約２％となる。
【００２２】
なお、除湿部材５ｃは、必ずしも湿式の除湿部材である必要は無く、乾式の除湿部材であってもよい。但し、湿式の除湿部材である場合は、空気Ａがエリミネータ５を通過する際の抵抗を小さくするために、１次エリミネータ５ａと除湿部材５ｃとの間及び除湿部材５ｃと２次エリミネータ５ｂとの間に間隔を設けることが望ましい。
【００２３】
このような構成を有する冷却塔１では、冷却ファン２が回転駆動されるのに伴い、充填材３によって飛散された温水に冷却ファン２によって吸引された空気Ａが接触し、温水は空気Ａによって冷却される。そして、生成された冷却水Ｗは水槽４内に貯留される。一方、温水と接触した空気Ａは、冷却ファン２の吸引力によってエリミネータ５を通過する。この時、空気Ａと共に持ち出される飛散水は１次エリミネータ５ａで回収され、空気Ａに含まれる水蒸気は除湿部材５ｃによって回収される。また、２次エリミネータ５ｂは、除湿部材５ｃにおいて飛散した水を回収する。
【００２４】
このような構成によれば、外部に排出される空気Ａに含まれる飛散水及び水蒸気はエリミネータ５によって回収されるので、充填材を乾湿混合型の充填材にしたり、ダクトを設置したりする必要がない。これにより、冷却能力を低下させることなく、簡素な構成によって白煙が発生することを抑制できる。
【００２５】
なお、上記エリミネータ５は、既設のエリミネータを１次エリミネータ５ａとみなし、既設のエリミネータに除湿部材５ｃ及び２次エリミネータ５ｂを増設することにより、既設の冷却塔に設置することができる。これにより、既設の冷却塔を改修して、冷却能力を低下させることなく、簡素な構成によって白煙が発生することを抑制できる。
【００２６】
以上、本発明者によってなされた発明を適用した実施の形態について説明したが、本実施形態による本発明の開示の一部をなす記述及び図面により本発明は限定されることはなく、上述した各構成要素を適宜組み合わせて構成したものも本発明に含まれる。すなわち、本実施形態に基づいて当業者等によりなされる他の実施の形態、実施例及び運用技術等は全て本発明の範疇に含まれる。
【符号の説明】
【００２７】
１  冷却塔
２  冷却ファン
３  充填材
３ａ  温水配管
３ｂ  ルーバー
４  水槽
５  エリミネータ
５ａ  １次エリミネータ
５ｂ  ２次エリミネータ
５ｃ  除湿部材
１１  冷却水パイプライン
１２  送水ポンプ
Ａ  空気
Ｓ  塔内部空間
Ｗ  冷却水
【図１】
2016223723.tif 000003
【図２】
2016223723.tif 000004